(57)【要約】【課題】回路規模の増大を抑制しながら、異なるＰＲＭＬに円滑に対応し得るデジタルＰＬＬ回路およびそれを採用するデータ再生装置を提供する。【解決手段】ＰＲ（１，２，２，２，１）に従うデータ補間回路１０４の他にＰＲ（１，２，２，１）に従うデータ補間回路１１０を配する。データ補間回路１０４には、デジタルＶＣＯ１０９によって生成されたＰＲ（１，２，２，２，１）に従う位相情報が供給される。データ補間回路１１０には、デジタルＶＣＯ１０９によって生成された位相情報の位相を１８０°遅延させた位相情報が供給される。データ補間回路１１０に供給される位相情報は、位相調整回路１１３によって生成される。この構成によれば、デジタルＶＣＯ１０９からの位相情報をもとにデータ補間回路１１０のための位相情報が生成されるため、別途、データ補間回路１１０のためのＰＬＬ回路を配する必要がない。【選択図】図１
2008052784.tif 000002
【特許請求の範囲】
【請求項１】
固定クロックにてサンプリングされＡ／Ｄ（Analog to Digital）変換されたデジタルデータに対し位相情報に基づく補間処理を施して、正規のサンプリングタイミングにおけるサンプルデータを取得するデジタルＰＬＬ回路において、
前記デジタルデータに対し補間処理を行う第１のデータ補間回路と、
前記第１のデータ補間回路によって生成されたサンプルデータに基づいて前記第１のデータ補間回路に対する第１の位相情報を生成する位相情報生成回路と、
前記第１の位相情報の位相を一定の位相量だけ変化させて第２の位相情報を生成する位相調整回路と、
前記第２の位相情報に基づいて前記デジタルデータに対し補間処理を行う第２のデータ補間回路とを有する、
ことを特徴とするデジタルＰＬＬ回路。
【請求項２】
請求項１に記載のデジタルＰＬＬ回路において、
前記位相調整回路は、前記第１のデータ補間回路における補間タイミングと前記第２のデータ補間回路における補間タイミングの間の位相差に応じた位相量だけ前記第１の位相情報の位相を変化させて第２の位相情報を生成する、
ことを特徴とするデジタルＰＬＬ回路。
【請求項３】
固定クロックにてサンプリングされＡ／Ｄ（Analog to Digital）変換されたデジタルデータに対し位相情報に基づく補間処理を施して、正規のサンプリングタイミングにおけるサンプルデータを取得するデジタルＰＬＬ回路において、
前記デジタルデータに対し第１のＰＲＭＬ（Partial Response Maximum Likelihood）に従う補間処理を行う第１のデータ補間回路と、
前記第１のデータ補間回路によって生成されたサンプルデータに基づいて前記第１のＰＲＭＬに従う第１の位相情報を生成し前記第１のデータ補間回路に供給する位相情報生成回路と、
前記デジタルデータに対し第１のＰＲＭＬとは異なる補間タイミングの第２のＰＲＭＬに従う補間処理を行う第２のデータ補間回路と、
前記第１のＰＲＭＬにおける補間タイミングと前記第２のＰＲＭＬにおける補間タイミングの間の位相差に応じた位相量だけ前記第１の位相情報の位相を変化させて第２の位相情報を生成し前記第２のデータ補間回路に供給する位相調整回路とを有する、
ことを特徴とするデジタルＰＬＬ回路。
【請求項４】
固定クロックにてサンプリングされＡ／Ｄ（Analog to Digital）変換されたデジタルデータに対し位相情報に基づく補間処理を施して、正規のサンプリングタイミングにおけるサンプルデータを取得し、取得したサンプルデータを復調するデータ再生装置において、
前記デジタルデータに対し補間処理を行う第１のデータ補間回路と、
前記第１のデータ補間回路によって生成されたサンプルデータに基づいて前記第１のデータ補間回路に対する第１の位相情報を生成する位相情報生成回路と、
前記第１の位相情報の位相を一定の位相量だけ変化させて第２の位相情報を生成する位相調整回路と、
前記第２の位相情報に基づいて前記デジタルデータに対し補間処理を行う第２のデータ補間回路と、
前記第１および第２のデータ補間回路にて生成されたサンプルデータから２値化データを生成する復号回路とを有する、
ことを特徴とするデータ再生装置。
【請求項５】
請求項４に記載のデータ再生装置において、
前記位相調整回路は、前記第１のデータ補間回路における補間タイミングと前記第２のデータ補間回路における補間タイミングの間の位相差に応じた位相量だけ前記第１の位相情報の位相を変化させて第２の位相情報を生成する、
ことを特徴とするデータ再生装置。
【請求項６】
請求項４または５に記載のデータ再生装置において、
前記復号回路は、前記第１のデータ補間回路にて生成されたサンプルデータから２値化データを生成する第１の復号部と、前記第２のデータ補間回路にて生成されたサンプルデータから２値化データを生成する第２の復号部とを備える、
ことを特徴とするデータ再生装置。
【請求項７】
固定クロックにてサンプリングされＡ／Ｄ（Analog to Digital）変換されたデジタルデータに対し位相情報に基づく補間処理を施して、正規のサンプリングタイミングにおけるサンプルデータを取得し、取得したサンプルデータを復調するデータ再生装置において、
前記デジタルデータに対し第１のＰＲＭＬ（Partial Response Maximum Likelihood）に従う補間処理を行う第１のデータ補間回路と、
前記第１のデータ補間回路によって生成されたサンプルデータに基づいて前記第１のＰＲＭＬに従う第１の位相情報を生成し前記第１のデータ補間回路に供給する位相情報生成回路と、
前記デジタルデータに対し第１のＰＲＭＬとは異なる補間タイミングの第２のＰＲＭＬに従う補間処理を行う第２のデータ補間回路と、
前記第１のＰＲＭＬにおける補間タイミングと前記第２のＰＲＭＬにおける補間タイミングの間の位相差に応じた位相量だけ前記第１の位相情報の位相を変化させて第２の位相情報を生成し前記第２のデータ補間回路に供給する位相調整回路と、
前記第１および第２のデータ補間回路にて生成されたサンプルデータから２値化データを生成する復号回路とを有する、
ことを特徴とするデータ再生装置。
【請求項８】
請求項７に記載のデータ再生装置において、
前記復号回路は、前記第１のデータ補間回路にて生成されたサンプルデータから２値化データを生成する第１の復号部と、前記第２のデータ補間回路にて生成されたサンプルデータから２値化データを生成する第２の復号部とを備える、
ことを特徴とするデータ再生装置。
【発明の詳細な説明】
【技術分野】
【０００１】
本発明は、固定クロックにてサンプリングされＡ／Ｄ（Analog to Digital）変換されたデジタルデータに対し、位相情報に基づく補間処理を施して、正規のサンプリングタイミングにおけるサンプルデータを取得するデジタルＰＬＬ（Phase Locked Loop）回路、および、このＰＬＬ回路にて取得されるサンプルデータを復調して再生データを取得するデータ再生装置に関する。
【背景技術】
【０００２】
ディスク再生装置のＰＬＬ回路として、従来、アナログ方式のＰＬＬ回路が用いられている。しかし、アナログ方式のＰＬＬ回路は、ノイズによる影響を受け易く、また、温度変化等の環境変化に弱いといった欠点を有している。これに対し、デジタル方式のＰＬＬ回路は、ノイズによる影響を受け難く、温度変化等の環境変化にも特性が左右され難い。また、高集積化を図りやすくＬＳＩに実装する際に有利であるとのメリットを有している。
【０００３】
図７に、ＩＴＲ（Interpolated Timing Recovery）方式のデジタルＰＬＬ回路を内蔵するディスク再生装置の構成例を示す。
【０００４】
本構成例に係る光ディスク装置は、光ピックアップ１０１と、増幅回路１０２と、ＡＤＣ（Analog-Digital Converter）１０３と、データ補間回路１０４と、イコライザ１０５と、ビタビデコーダ１０６と、位相比較器１０７と、ＬＰＦ（ループフィルタ）１０８と、デジタルＶＣＯ（Voltage Controlled Oscillator）１０９を備えている。
【０００５】
光ピックアップ１０１は、ディスクにレーザ光を照射してデータの書き込みを行うとともに、ディスクからの反射光を受光してデータの読み取りを行う。増幅回路１０２は、光ピックアップ１０１から供給される再生ＲＦ信号を増幅してＡＤＣ１０３に出力する。ＡＤＣ１０３は、発振回路（図示せず）から供給される高周波の非同期クロック（システムクロック）に応じて再生ＲＦ信号をサンプリングし、サンプル値をデジタルデータ（ＡＤデータ）に変換してデータ補間回路１０４に出力する。
【０００６】
データ補間回路１０４は、ＡＤＣ１０３から入力されるＡＤデータと、デジタルＶＣＯ１０９から入力される位相情報を用いて、データ補間タイミング（リサンプルタイミング）におけるデータ値（リサンプルデータ）を算出し、算出したリサンプルデータをイコライザ１０５に出力する。
【０００７】
イコライザ１０５は、データ補間回路１０４から供給されるリサンプルデータに対して波形等化処理を施してビタビデコーダ１０６に出力する。ビタビデコーダ１０６は、イコライザ１０５から供給されたデジタルデータにビタビ復号処理を施して１、０の２値化データを生成出力する。
【０００８】
位相比較器１０７は、データ補間回路１０４から供給されるリサンプルデータをもとに、デジタルＶＣＯ１０９から供給されるリサンプルタイミングと正規のリサンプルタイミングの位相差（ΔＰ）を検出し、これを、ＬＰＦ１０８に出力する。ＬＰＦ１０８は、位相差（ΔＰ）の高周波成分を遮断して直流化し、これをデジタルＶＣＯ１０９に出力する。
【０００９】
デジタルＶＣＯ１０９は、ＬＰＦ１０８から供給された直流化データをもとに、正規のリサンプルタイミングに近づくよう、リサンプルタイミングを調整し、調整後のリサンプルタイミングを規定する位相情報をデータ補間回路１０４に出力する。
【特許文献１】特許第３６８７４２５号公報
【発明の開示】
【発明が解決しようとする課題】
【００１０】
近年の光ディスクの高密度化に伴い、光ディスクドライブにおける再生信号処理方式として、ＰＲＭＬ（Partial Response Maximum Likelihood）を用いたビタビ復号が広く採用されている。また、市場には、異なるＰＲＭＬを採用した光ディスクが存在し、このため、光ディスクドライブには、ＰＲＭＬの異なる光ディスクに対応するための機能が求められている。
【００１１】
しかし、ＰＲＭＬが異なる場合には、たとえば図８に示すとおり、データ補間ポイント（リサンプルポイント：図８に黒丸で示す）が異なる場合があり、このため、ＰＲＭＬの異なる光ディスクに対応しようとすると、たとえば、ＰＲＭＬ毎に個別にＰＬＬ回路を準備し、光ディスクの再生時には、当該光ディスクのＰＲＭＬに対応したＰＬＬ回路から、当該ＰＲＭＬに適した位相情報を供給できるようにする等の手段が必要となる。しかし、こうすると、ＰＬＬ回路を複数準備しなければならず、回路規模が大きくなるとの問題が生じる。
【００１２】
そこで、本発明は、回路規模の増大を抑制しながら、異なるＰＲＭＬに円滑に対応し得るデジタルＰＬＬ回路およびそれを採用するデータ再生装置を提供することを課題とする。
【課題を解決するための手段】
【００１３】
上記課題に鑑み本発明は、以下の特徴を有する。
【００１４】
請求項１の発明は、固定クロックにてサンプリングされＡ／Ｄ変換されたデジタルデータに対し位相情報に基づく補間処理を施して、正規のサンプリングタイミングにおけるサンプルデータを取得するデジタルＰＬＬ回路において、前記デジタルデータに対し補間処理を行う第１のデータ補間回路と、前記第１のデータ補間回路によって生成されたサンプルデータに基づいて前記第１のデータ補間回路に対する第１の位相情報を生成する位相情報生成回路と、前記第１の位相情報の位相を一定の位相量だけ変化させて第２の位相情報を生成する位相調整回路と、前記第２の位相情報に基づいて前記デジタルデータに対し補間処理を行う第２のデータ補間回路とを有することを特徴とする。
【００１５】
請求項２の発明は、請求項１に記載のデジタルＰＬＬ回路において、前記位相調整回路は、前記第１のデータ補間回路における補間タイミングと前記第２のデータ補間回路における補間タイミングの間の位相差に応じた位相量だけ前記第１の位相情報の位相を変化させて第２の位相情報を生成することを特徴とする。
【００１６】
請求項３の発明は、固定クロックにてサンプリングされＡ／Ｄ（変換されたデジタルデータに対し位相情報に基づく補間処理を施して、正規のサンプリングタイミングにおけるサンプルデータを取得するデジタルＰＬＬ回路において、前記デジタルデータに対し第１のＰＲＭＬに従う補間処理を行う第１のデータ補間回路と、前記第１のデータ補間回路によって生成されたサンプルデータに基づいて前記第１のＰＲＭＬに従う第１の位相情報を生成し前記第１のデータ補間回路に供給する位相情報生成回路と、前記デジタルデータに対し第１のＰＲＭＬとは異なる補間タイミングの第２のＰＲＭＬに従う補間処理を行う第２のデータ補間回路と、前記第１のＰＲＭＬにおける補間タイミングと前記第２のＰＲＭＬにおける補間タイミングの間の位相差に応じた位相量だけ前記第１の位相情報の位相を変化させて第２の位相情報を生成し前記第２のデータ補間回路に供給する位相調整回路とを有することを特徴とする。
【００１７】
請求項４の発明は、固定クロックにてサンプリングされＡ／Ｄ変換されたデジタルデータに対し位相情報に基づく補間処理を施して、正規のサンプリングタイミングにおけるサンプルデータを取得し、取得したサンプルデータを復調するデータ再生装置において、前記デジタルデータに対し補間処理を行う第１のデータ補間回路と、前記第１のデータ補間回路によって生成されたサンプルデータに基づいて前記第１のデータ補間回路に対する第１の位相情報を生成する位相情報生成回路と、前記第１の位相情報の位相を一定の位相量だけ変化させて第２の位相情報を生成する位相調整回路と、前記第２の位相情報に基づいて前記デジタルデータに対し補間処理を行う第２のデータ補間回路と、前記第１および第２のデータ補間回路にて生成されたサンプルデータから２値化データを生成する復号回路とを有することを特徴とする。
【００１８】
請求項５の発明は、請求項４に記載のデータ再生装置において、前記位相調整回路は、前記第１のデータ補間回路における補間タイミングと前記第２のデータ補間回路における補間タイミングの間の位相差に応じた位相量だけ前記第１の位相情報の位相を変化させて第２の位相情報を生成することを特徴とする。
【００１９】
請求項６の発明は、請求項４または５に記載のデータ再生装置において、前記復号回路は、前記第１のデータ補間回路にて生成されたサンプルデータから２値化データを生成する第１の復号部と、前記第２のデータ補間回路にて生成されたサンプルデータから２値化データを生成する第２の復号部とを備えることを特徴とする。
【００２０】
請求項７の発明は、固定クロックにてサンプリングされＡ／Ｄ変換されたデジタルデータに対し位相情報に基づく補間処理を施して、正規のサンプリングタイミングにおけるサンプルデータを取得し、取得したサンプルデータを復調するデータ再生装置において、前記デジタルデータに対し第１のＰＲＭＬに従う補間処理を行う第１のデータ補間回路と、前記第１のデータ補間回路によって生成されたサンプルデータに基づいて前記第１のＰＲＭＬに従う第１の位相情報を生成し前記第１のデータ補間回路に供給する位相情報生成回路と、前記デジタルデータに対し第１のＰＲＭＬとは異なる補間タイミングの第２のＰＲＭＬに従う補間処理を行う第２のデータ補間回路と、前記第１のＰＲＭＬにおける補間タイミングと前記第２のＰＲＭＬにおける補間タイミングの間の位相差に応じた位相量だけ前記第１の位相情報の位相を変化させて第２の位相情報を生成し前記第２のデータ補間回路に供給する位相調整回路と、前記第１および第２のデータ補間回路にて生成されたサンプルデータから２値化データを生成する復号回路とを有することを特徴とする。
【００２１】
請求項８の発明は、請求項７に記載のデータ再生装置において、前記復号回路は、前記第１のデータ補間回路にて生成されたサンプルデータから２値化データを生成する第１の復号部と、前記第２のデータ補間回路にて生成されたサンプルデータから２値化データを生成する第２の復号部とを備えることを特徴とする。
【発明の効果】
【００２２】
請求項１ないし３の発明によれば、異なるＰＲＭＬに従うディスクを円滑に再生することができる。また、第１のＰＲＭＬに従う位相情報生成回路にて生成された位相情報を第２のＰＲＭＬに従う処理に利用されるため、第２のＰＲＭＬに従う位相情報生成回路を別途配する必要がなく、もって、回路規模の増大を抑制することができる。さらに、位相調整回路によって生成された位相情報は、位相情報生成回路にて生成された第１のＰＲＭＬに従う位相情報の位相を、第１のＰＲＭＬにおける補間タイミングと第２のＰＲＭＬにおける補間タイミングの間の位相差に応じた位相量だけ変化させたものであるから、たとえば、図８に示すサンプルポイントの関係を参照して明らかなとおり、位相調整回路によって生成された位相情報は、第２のＰＲＭＬに従う処理を行うに適したものとなる。よって、このように位相調整回路によって生成された位相情報を第２のＰＲＭＬに従う処理を行う際に用いても、第２のＰＲＭＬに従う処理を精度良く行うことができる。
【００２３】
このように、本実施の形態によれば、回路規模の増大を抑制しながら、第１および第２のＰＲＭＬに従うディスクの再生を円滑かつ精度よく行うことができる。
【００２４】
請求項４ないし８の発明は、請求項１ないし３の発明に係るデジタルＰＬＬ回路の構成を備えるデータ再生装置である。よって、請求項４ないし８の発明によれば、上記請求項１ないし３の発明と同様の効果を奏することができる。
【００２５】
本発明の特徴は、以下に示す実施の形態の説明により更に明らかとなろう。
【００２６】
ただし、以下の実施の形態は、あくまでも、本発明を実施化する際の一つの例示形態であって、本発明ないし各構成要件の用語の意義は、以下の実施の形態に記載されたものに制限されるものではない。
【発明を実施するための最良の形態】
【００２７】
以下、本発明の実施の形態につき図面を参照して説明する。
【００２８】
図１に実施の形態に係るディスク再生装置の構成を示す。図中、上記図７に示した構成と同一部分には同一符号が付されている。
【００２９】
なお、図１に示すディスク再生装置は、ＰＲ（１，２，２，２、１）に従う光ディスクとＰＲ（１，２，２，１）に従う光ディスクの両方に対応し得るものである。図において、データ補間回路１０４、イコライザ１０５、ビタビデコーダ１０６、位相比較器１０７、ＬＰＦ１０８およびデジタルＶＣＯ１０９からなる回路は、図８下段に示すＰＲ（１，２，２，２，１）に従う光ディスクに対応するための信号処理系であり、データ補間回路１１０、イコライザ１１１およびビタビデコーダ１１２からなる回路は、図８上段に示すＰＲ（１，２，２，１）に従う光ディスクに対応するための信号処理系である。
【００３０】
本実施の形態に係るディスク再生装置には、図８の構成に比べ、データ補間回路１１０と、イコライザ１１１と、ビタビデコーダ１１２と、位相調整回路１１３が追加されている。
【００３１】
データ補間回路１１０は、ＡＤＣ１０３から入力されるＡＤデータと、位相調整回路１１３から入力される位相情報を用いて、リサンプルタイミングにおけるデータ値
（リサンプルデータ）を算出し、算出したリサンプルデータをイコライザ１１１に出力する。
【００３２】
イコライザ１１１は、入力されたリサンプルデータに対し波形等化処理を施してビタビデコーダ１１２に出力する。ビタビデコーダ１１２は、イコライザ１１１から供給されたデジタルデータにビタビ復号処理を施して１、０の２値化データを生成出力する。
【００３３】
位相調整回路１１３は、デジタルＶＣＯ１０９から出力される位相情報に位相調整処理を施し、調整後の位相情報を、データ補間回路１１０に出力する。具体的には、デジタルＶＣＯ１０９から出力される位相情報の位相を１８０°遅延させ、遅延後の位相情報を、データ補間回路１１０に出力する。
【００３４】
図２は、位相比較器１０７における具体的処理を説明する図である。
【００３５】
図示の如く、位相比較器１０７は、データ補間回路１０４から供給されるリサンプルデータをもとに、再生信号波形のエッジ、すなわち、再生信号波形とスライスレベル（ゼロレベル）の交点位置を判別し、判別したエッジの位置と、これを挟む前後のリサンプルタイミングの中間タイミングとの間の位相差（ΔＰ）を検出して、これを、ＬＰＦ１０８に出力する。
【００３６】
ＬＰＦ１０８は、入力された位相差（ΔＰ）の高周波成分を遮断して直流化し、これをデジタルＶＣＯ１０９に出力する。デジタルＶＣＯ１０９は、ＬＰＦ１０８から供給された直流化データに応じて、上記エッジの位相差を補償するよう、リサンプルタイミングを調整し、調整後のリサンプルタイミングを規定する位相情報をデータ補間回路１０４に出力する。
【００３７】
図３は、データ補間回路１０４における処理を説明する図である。なお、同図中、Ａ／Ｄクロックは、ＡＤＣ１０３におけるサンプリングクロック（非同期クロック）である。
【００３８】
図示の如く、データ補間回路１０４は、位相情報によって規定されるリサンプルタイミングと、その直後に到来するデジタルデータのサンプリングタイミングとの間の位相差ＰＨ０を求め、このＰＨ０と、リサンプルタイミングを挟む前後のサンプリングデータから、リサンプルタイミングにおけるデータ値（リサンプルデータ）を算出する。たとえば、デジタルデータＤ２、Ｄ３間における補間処理を例にとると、当該補間処理におけるリサンプルタイミングとＤ３のサンプリングタイミングとの間の位相差ＰＨ０が求められる。そして、Ｄ２とＤ３の値と、位相差ＰＨ０およびＡ／Ｄクロックの周期ＰＨ１を用いながら、同図の左上に示す比例計算によりＸが求められ、求めたＸをＤ２に加算して、当該リサンプルタイミングにおけるリサンプルデータが求められる。
【００３９】
図３に示す処理は、データ補間回路１１０でも同様にして行われる。ただし、データ補間回路１１０は、上述の如く、図８上段のＰＲ（１，２，２，１）に応じた処理を行うことから、デジタルＶＣＯ１０９から供給される、ＰＲ（１，２，２，２，１）に応じた位相情報をもとにリサンプルタイミングを設定すると、正しいリサンプルタイミングにてリサンプルデータを取得できない。
【００４０】
本実施の形態では、デジタルＶＣＯ１０９から供給される位相情報が、位相調整回路１１３によって、データ補間回路１１０のＰＲＭＬに適する位相情報に変換され、データ補間回路１１３に供給される。具体的には、デジタルＶＣＯ１０９から供給される位相情報の位相が１８０°遅延された後、データ補間回路１１０に供給される。
【００４１】
図８を参照すると、ＰＲ（１，２，２，１）とＰＲ（１，２，２，２，１）では、リサンプルタイミングが互いに１８０°ずれている。したがって、ＰＲ（１，２，２，２，１）に従って生成されたリサンプルタイミングの位相を１８０°ずらすことにより、ＰＲ（１，２，２，１）に応じたリサンプリングタイミングを生成することができる。位相調整回路１１３では、デジタルＶＣＯ１０９から供給されるＰＲ（１，２，２，２，１）に応じた位相情報の位相に１８０°が加算される。これにより、ＰＲ（１，２，２，１）に適した位相情報が生成される。
【００４２】
図４は、再生ＲＦ信号とリサンプルタイミングの関係を示す図である。図中、“リサンプルタイミングＡ”は、ＰＲ（１，２，２，２，１）に応じたリサンプルタイミング、“リサンプルタイミングＢ”は、ＰＲ（１，２，２，１）に応じたリサンプルタイミングである。
【００４３】
データ補間回路１０４では、デジタルＶＣＯ１０９からの位相情報に従って、リサンプルタイミングＡのタイミングにてリサンプルデータが生成される。また、データ補間回路１１０では、デジタルＶＣＯ１０９からの位相情報が位相調整回路１１３によって１８０°遅延された後の位相情報に従って、リサンプルタイミングＢのタイミングにてリサンプルデータが生成される。
【００４４】
このように、本実施の形態では、再生信号波形に対し、ＰＲ（１，２，２，２，１）に従う補間処理と、ＰＲ（１，２，２，１）に従う補間処理が並行して行われる。そして、ＰＲ（１，２，２，２，１）に従って生成されたリサンプルデータは、イコライザ１０５とビタビデコーダ１０６によって処理され、１、０の２値化データが生成される。また、ＰＲ（１，２，２，１）に従って生成されたリサンプルデータは、イコライザ１１１とビタビデコーダ１１２によって処理され、１、０の２値化データが生成される。
【００４５】
ビタビデコーダ１０６、１１２から出力される２値化データは、それぞれ、対応する復調回路（図示せず）に入力される。それぞれの復調回路は、対応する光ディスクの信号フォーマットに応じた復調処理を行う。
【００４６】
なお、何れの復調回路を用いるかは、たとえば、光ディスクの種類判別に応じて決定される。ここで、再生対象ディスクがＨＤ（High Definition DVD）とＢＤ（ブルーレイディスク）であり、たとえば、ＨＤにはＰＲ（１，２，２，２，１）が適用され、ＢＤにはＰＲ（１，２，２，１）が適用されているとすると、光ディスクの種類は、たとえば、光ディスクにレーザ光を照射したときの戻り光量を比較することにより判別でき、判別結果がＨＤの場合には、ＰＲ（１，２，２，２，１）に従うビタビデコーダ１０６からの２値化データを復調する復調回路が選択され、また、判別結果がＢＤの場合には、ＰＲ（１，２，２，１）に従うビタビデコーダ１１２からの２値化データを復調する復調回路が選択される。
【００４７】
以上、本実施の形態によれば、ＰＲ（１，２，２，２，１）とＰＲ（１，２，２，１）に従う２種類のディスクを円滑に再生することができる。また、ＰＲ（１，２，２，２，１）に従うＰＬＬ回路にて生成された位相情報をＰＲ（１，２，２，１）に従う処理に利用するため、ＰＲ（１，２，２，１）に従うＰＬＬ回路を別途配する必要がなく、もって、回路規模の増大を抑制することができる。さらに、ＰＲ（１，２，２，１）のための位相情報は、ＰＲ（１，２，２，２，１）に従うＰＬＬ回路にて生成された位相情報の位相を１８０°遅延させて生成されるから、図８に示すサンプルポイントの関係を参照して明らかなとおり、ＰＲ（１，２，２，１）の処理を精度良く行うことができる。
【００４８】
このように、本実施の形態によれば、回路規模の増大を抑制しながら、ＰＲ（１，２，２，２，１）とＰＲ（１，２，２，１）に従う２種類のディスクの再生を円滑かつ精度よく行うことができる。
【００４９】
以上、本発明の実施形態について説明したが、本発明の実施形態は上記に限定されるものではなく、他に種々の変更が可能である。
【００５０】
たとえば、上記実施の形態では、ＰＲ（１，２，２，２，１）に従うＰＬＬ回路にて生成された位相情報の位相を１８０°遅延させてＰＲ（１，２，２，１）に適する位相情報を生成するようにしたが、ＰＲ（１，２，２，１）に従うＰＬＬ回路にて生成された位相情報の位相を１８０°遅延させてＰＲ（１，２，２，２，１）に適する位相情報を生成するようにしても良い。
【００５１】
また、上記実施の形態では、データ補間回路１０４と１１０の後段側に、それぞれ、イコライザ１０５およびビタビデコーダ１０６からなる復号系と、イコライザ１１１およびビタビデコーダ１１２からなる復号系を個別に配したが、図５に示すように、イコライザ１２１を共用するようにしても良い。ここで、イコライザ１２１は、ビタビデコーダ１０６、１１２における処理結果に応じてタップ係数が調整される、いわゆる適応型イコライザを用いることができる。あるいは、何れのビタビデコーダを用いるかに応じて適宜タップ係数をセットできるイコライザを用いても良い。なお、１２０は、データ補間回路１０４、１１０の出力を選択するためのスイッチング回路、１２２は、イコライザ１２１の出力をビタビデコーダ１０６、１１２に割り振るためのスイッチング回路である。このように、イコライザ１２１を共用することにより、回路規模の増大をさらに抑制することができる。
【００５２】
さらに、上記実施の形態では、図８に示す如くＰＲ（１，２，２，２，１）とＰＲ（１，２，２，１）のリサンプルタイミングの位相が１８０°ずれているため、位相調整回路１１３における位相調整量Δαを１８０°に設定したが、リサンプルタイミングの位相ずれが１８０°以外の場合には、それに応じて、位相調整量Δαを変化させれば良い。
【００５３】
また、位相調整量を複数設定する必要がある場合には、たとえば図６に示す如く、複数の位相調整回路１３３、１３４を配し、これに応じて、データ補間回路１３０、イコライザ１３１およびビタビデコーダ１３２を追加すれば良い。なお、図６の構成例においても、上記図５の場合と同様、スイッチング回路１２０を配し、イコライザとビタビデコーダを共用する構成とすることができる。
【００５４】
この他、上記実施の形態では、ＰＲ（１，２，２，２，１）とＰＲ（１，２，２，１）に従うディスクを再生する場合について説明したが、本発明は、これ以外のＰＲＭＬに従うディスクを再生する再生装置にも適用可能である。また、光ディスクに限らず、他の記録媒体を再生する場合にも適用可能である。
【００５５】
本発明は、上記実施の形態に限定されるものではない。本発明の実施の形態は、特許請求の範囲に示された技術的思想の範囲内において、適宜、種々の変更が可能である。
【図面の簡単な説明】
【００５６】
【図１】実施の形態に係るディスク再生装置の構成を示す図
【図２】実施の形態に係る位相比較器の動作を説明する図
【図３】実施の形態に係るデータ補間回路の動作を説明する図
【図４】実施の形態に係る再生信号とリサンプルタイミングの関係を示す図
【図５】実施の形態に係るディスク再生装置の変更例を示す図
【図６】実施の形態に係るディスク再生装置の変更例を示す図
【図７】従来例に係るディスク再生装置の構成を示す図
【図８】ＰＲ（１，２，２，２，１）とＰＲ（１，２，２，１）におけるリサンプルポイントを示す図
【符号の説明】
【００５７】
１０４  データ補間回路  （第１のデータ補間回路）
１０５  イコライザ  （第１の復号部）
１０６  ビタビデコーダ  （第１の復号部）
１０７  位相比較器  （位相情報生成回路）
１０８  ＬＰＦ  （位相情報生成回路）
１０９  デジタルＶＣＯ  （位相情報生成回路）
１１０  データ補間回路  （第２のデータ補間回路）
１１１  イコライザ  （第２の復号部）
１１２  ビタビデコーダ  （第２の復号部）
１１３  位相調整回路
１２１  イコライザ  （第１および第２の復号部）
１３０  データ補間回路  （第２のデータ補間回路）
１３１  イコライザ  （第２の復号部）
１３２  ビタビデコーダ  （第２の復号部）
【図１】
2008052784.tif 000003
【図２】
2008052784.tif 000004
【図３】
2008052784.tif 000005
【図４】
2008052784.tif 000006
【図５】
2008052784.tif 000007
【図６】
2008052784.tif 000008
【図７】
2008052784.tif 000009
【図８】
2008052784.tif 000010